(57)【特許請求の範囲】
【請求項１】
複数の移動通信端末と、前記複数の移動通信端末と無線通信する第１の基地局装置とを有する移動体通信システムであって、
前記第１の基地局装置は、特定の移動通信端末のみ接続することを許容する第２の基地局装置が全ての移動通信端末の接続を許容するように設定されたことを、前記第２の基地局装置の識別情報のみをセル内同報を用いて送信することで、前記複数の移動通信端末に通知すること
を特徴とする移動体通信システム。
【請求項２】
前記第１の基地局装置は、前記全ての移動通信端末の接続を許容する設定が解除されたことを、設定が解除された前記第２の基地局装置の識別情報と解除を示す情報とをセル内同報を用いて送信することで、前記複数の移動通信端末に通知すること
を特徴とする請求項１に記載の移動体通信システム。
【請求項３】
前記第１の基地局装置は、前記第２の基地局装置の識別情報のみをセル内同報を用いて送信する際に、前記第１の基地局装置の通信範囲に位置する全ての第２の基地局装置のうち、全ての移動通信端末の接続を許容するように設定されている第２の基地局装置の識別情報のみをセル内同報を用いて送信することを特徴とする請求項１に記載の移動体通信システム。
【請求項４】
前記移動通信端末は、
当該移動通信端末が接続を許容されている第２の基地局装置の識別情報と、前記セル内同報を用いて送信された前記第２の基地局装置の識別情報とを識別可能に記憶すること
を特徴とする請求項１に記載の移動体通信システム。
【請求項５】
前記第１の基地局装置が全ての移動通信端末の接続を許容するように設定されたことを通知する第２の基地局装置は、前記第１の基地局装置の通信範囲に位置する第２の基地局装置、または、前記第１の基地局装置および前記第１の基地局装置に隣接する基地局装置の通信範囲に位置する第２の基地局装置であること
を特徴とする請求項１に記載の移動体通信システム。
【請求項６】
複数の移動通信端末と無線通信する基地局装置であって、
特定の移動通信端末のみ接続することを許容する他の基地局装置が全ての移動通信端末の接続を許容するように設定されたことを、前記他の基地局装置の識別情報のみをセル内同報を用いて送信することで、前記複数の移動通信端末に通知すること
を特徴とする基地局装置。
【請求項７】
特定の移動通信端末のみ接続することを許容する第２の基地局装置が全ての移動通信端末の接続を許容するように設定されたことを、前記第２の基地局装置の識別情報のみをセル内同報を用いて送信することで、前記複数の移動通信端末に通知する第１の基地局装置と無線通信する移動通信端末であって、
当該移動通信端末が接続を許容されている第２の基地局装置の識別情報と、前記セル内同報を用いて送信された前記第２の基地局装置の識別情報とを識別可能に記憶すること
を特徴とする移動通信端末。
【発明の詳細な説明】
【技術分野】
【０００１】
本発明は、移動体通信システム、基地局装置および移動通信端末に関する。
本願は、２０１０年３月９日に、日本に出願された特願２０１０−０５２２１１号に基づき優先権を主張し、その内容をここに援用する。
【背景技術】
【０００２】
現在、３ＧＰＰ（3rd Generation Partnership Project；第３世代パートナーシッププロジェクト）において標準化が進められている基地局装置には、マクロセル（通常のセル）を提供する（ｅ）ＮｏｄｅＢと、ユーザ宅などに設置され、マクロセルより狭いセルを提供するＨｏｍｅ （ｅ）ＮｏｄｅＢ（Ｈｏｍｅ  （ｅ）ＮＢ、ホーム（イー）ノードビー）とがある。Ｈｏｍｅ  （ｅ）ＮＢによって提供されるセル（cell）には、全ユーザが接続することが可能なオープンセル（Open cell）、特定のユーザのみ接続することを許容するＣＳＧセル（CSG (Closed Subscriber Group) cell）、オープンセルとＣＳＧセル両方の特徴を持つハイブリッドセル（Hybrid cell）が存在する。ＣＳＧセル（CSG cell）に関する要求（Requirement）は非特許文献１の８章に定義されている。【０００３】
ＣＳＧセルには固有の識別情報であるＣＳＧ＿ＩＤが割り振られるが、非特許文献１より、ＰＬＭＮ（公衆移動通信ネットワーク；Public Mobile Land Network）内で少なくとも１憶２５００万ものＣＳＧ＿ＩDをサポートする必要がある。
しかし、一般的には、ユーザの端末がＰＬＭＮ内で見つけるＣＳＧ＿ＩDはさほど多くないだろうと考えられている。端末は見つけたＣＳＧセルが接続可能なセルかどうかを判定する必要がある。このとき、端末内に保持している接続可能なＣＳＧセルのリストであるＣＳＧリスト（allowed CSG list）を使用する。ＣＳＧセルは時と共に増減するので、端末は常に最新のリストを持つ必要がある。【０００４】
非特許文献１、２では、ＣＳＧリストについて、以下のように定義されている。
・ＣＳＧリストはＵＥ(User Equipment:移動通信端末)のＵＳＩＭ（Universal Subscriber Identity Module Card）内に格納される。
・ＣＳＧリストはＵＥ毎に個別に更新される (更新手順、更新タイミングの詳細は未定義)。
・マクロセル（通常のセル)内に設置されているＣＳＧセルの情報(ＣＳＧ＿ＩD、運用周波数、ＰＣＩ（Physical Cell Identity）、etc...）はオペレータによって管理される。
・新規にＨｏｍｅ  （ｅ）ＮＢが設置された場合、オペレータはその位置を知ることができる。
【先行技術文献】
【非特許文献】
【０００５】
【非特許文献１】3GPP TS 22.011 V9.3.0: “Service accessibility”
【非特許文献２】3GPP TS 22.220 V10.1.0: “Service requirements for Home NodeBs and Home eNodeBs”
【発明の概要】
【発明が解決しようとする課題】
【０００６】
しかしながら、上述のマクロセルの（ｅ）ＮｏｄｅＢにおいては、例えば、地震などの災害が発生時して、動作不能になっている（ｅ）ＮｏｄｅＢがあるため、あるいは、イベントなどで多くのユーザが集まったために、特定の（ｅ）ＮｏｄｅＢにトラフィックが集中し、無線区間、すなわち、ＵＥと（ｅ）ＮｏｄｅＢとの間で輻輳が発生してしまうことがあるという問題がある。【０００７】
本発明は、このような事情に鑑みてなされたもので、その目的は、無線区間にて輻輳が発生することを抑制する無線通信システムを提供することにある。
【課題を解決するための手段】
【０００８】
（１）この発明は上述した課題を解決するためになされたもので、本発明の移動体通信システムは、複数の移動通信端末と、前記複数の移動通信端末と無線通信する第１の基地局装置とを有する移動体通信システムであって、前記第１の基地局装置は、特定の移動通信端末のみ接続することを許容する第２の基地局装置が全ての移動通信端末の接続を許容するように設定されたことを、前記第２の基地局装置の識別情報をセル内同報を用いて送信することで、前記複数の移動通信端末に通知することを特徴とする。【０００９】
（２）また、本発明の移動体通信システムは、上述の移動体通信システムであって、前記第１の基地局装置は、前記全ての移動通信端末の接続を許容する設定が解除されたことを、設定が解除された前記第２の基地局装置の識別情報と解除を示す情報とをセル内同報を用いて送信することで、前記複数の移動通信端末に通知することを特徴とする。【００１０】
（３）また、本発明の移動体通信システムは、上述の移動体通信システムであって、前記第１の基地局装置は、前記第２の基地局装置の識別情報をセル内同報を用いて送信する際に、前記第１の基地局装置の通信範囲に位置する全ての第２の基地局装置のうち、全ての移動通信端末の接続を許容するように設定されている第２の基地局装置の識別情報をセル内同報を用いて送信することを特徴とする。【００１１】
（４）また、本発明の移動体通信システムは、上述の移動体通信システムであって、前記移動通信端末は、当該移動通信端末が接続を許容されている第２の基地局装置の識別情報と、前記セル内同報を用いて送信された前記第２の基地局装置の識別情報とを識別可能に記憶することを特徴とする。【００１２】
（５）また、本発明の移動体通信システムは、上述の移動体通信システムであって、前記第１の基地局装置が全ての移動通信端末の接続を許容するように設定されたことを通知する第2の基地局装置は、前記第１の基地局装置の通信範囲に位置する第２の基地局装置、または、前記第１の基地局装置および前記第１の基地局装置に隣接する基地局装置の通信範囲に位置する第２の基地局装置であることを特徴とする。【００１３】
（６）また、本発明の基地局装置は、複数の移動通信端末と無線通信する基地局装置であって、特定の移動通信端末のみ接続することを許容する他の基地局装置が全ての移動通信端末の接続を許容するように設定されたことを、前記他の基地局装置の識別情報をセル内同報を用いて送信することで、前記複数の移動通信端末に通知することを特徴とする。【００１４】
（７）また、本発明の移動通信端末は、特定の移動通信端末のみ接続することを許容する第２の基地局装置が全ての移動通信端末の接続を許容するように設定されたことを、前記第２の基地局装置の識別情報をセル内同報を用いて送信することで、前記複数の移動通信端末に通知する第１の基地局装置と無線通信する移動通信端末であって、当該移動通信端末が接続を許容されている第２の基地局装置の識別情報と、前記セル内同報を用いて送信された前記第２の基地局装置の識別情報とを識別可能に記憶することを特徴とする。
【発明の効果】
【００１５】
この発明によれば、無線区間にて輻輳が発生することを抑制することができる。
【図面の簡単な説明】
【００１６】
【図１】この発明の第１の実施形態における移動体通信システムの具体的な動作の例を示す図（その１）である。
【図２】同実施形態における移動体通信システムの具体的な動作の例を示す図（その２）である。
【図３】同実施形態における移動体通信システムの具体的な動作の例を示す図（その３）である。
【図４】同実施形態における移動体通信システムの具体的な動作の例を示す図（その４）である。
【図５】同実施形態における移動体通信システムの具体的な動作の例を示す図（その５）である。
【図６】同実施形態における移動体通信システムの具体的な動作の例を示す図（その６）である。
【図７】同実施形態における移動体通信システムの構成を示す概略ブロック図である。
【図８】同実施形態におけるマクロセル基地局装置１００ａの構成を示す概略ブロック図である。
【図９】同実施形態における信号処理部１２および記憶部１３の構成を示す概略ブロック図である。
【図１０】同実施形態におけるＣＳＧ記憶部１３１の記憶内容例を示す図である。
【図１１】同実施形態における移動通信端末２００ａの構成を示す概略ブロック図である。
【図１２】同実施形態における信号処理部２２と記憶部２３との構成を示す概略ブロック図である。
【図１３】同実施形態におけるＣＳＧリスト記憶部２３１が記憶するＣＳＧリストの例を示す図である。
【図１４】同実施形態におけるＣＳＧ基地局装置が新設されるときの本実施形態における移動体通信システムの動作を説明するフローチャートである。
【図１５】同実施形態におけるＣＳＧ基地局装置が撤去されるときの本実施形態における移動体通信システムの動作を説明するフローチャートである。
【図１６】この発明の第２の実施形態における信号処理部１２ａの構成を示す概略ブロック図である。
【図１７】この発明の第３の実施形態における移動体通信システムの具体的な動作の例を示す図である。
【図１８】同実施形態における移動体通信システムの具体的な動作の別の例を示す図である。
【図１９】同実施形態における移動体通信システムの動作を説明するシーケンス図である。
【図２０】同実施形態におけるＣＳＧ基地局装置１０１ｃの動作を説明するフローチャートである。
【図２１】同実施形態における上位装置４００の動作を説明するフローチャートである。
【図２２】同実施形態におけるマクロセル基地局装置１０３ａの動作を説明するフローチャートである。
【図２３】同実施形態における移動通信端末２００ｂの動作を説明するフローチャートである。
【発明を実施するための形態】
【００１７】
以下、図面を参照して、本発明の第１の実施形態について説明する。本実施形態における移動体通信システムは、災害等が発生し、すでに設置済みのＣＳＧセルの基地局装置あるいは、新規に設置したＣＳＧセルの基地局装置に対して、どの移動通信端末でも接続を許容するように設定したとき、そのＣＳＧセルの識別情報を、マクロセルの基地局装置が有するセル内同報（Cell Broadcast  Service；CBS）機能により配信することで、在圏中の移動通信端末が、そのＣＳＧセルへの接続を行うことを可能にする。これにより、マクロセルの基地局装置へのトラフィックの集中を回避し、輻輳の発生を抑制することができる。
【００１８】
図１、図２、図３は、マクロセル基地局装置１００aとＣＳＧ基地局装置１０１ａとを有する移動体通信システムの具体的な動作の例を示す図である。図１に示すように、ここでは、マクロセル基地局装置１００ａのマクロセル内にＣＳＧセル基地局装置１０１ａが設置され、そのＣＳＧセルに移動通信端末２００ａが位置し、先のマクロセルには、さらに移動通信端末２００ｂ、２００ｃが位置する。図２では、災害などが発生し、マクロセル基地局装置１００ａのマクロセル内のトラフィックが増加したときに、マクロセルへのトラフィックの集中を避けるために、ＣＳＧ基地局装置１０１ｂを設置し、どの移動通信端末でもアクセス可能とする。しかし、ＣＳＧ基地局装置１０１ｂが新規に追加（設置）されただけでは、各移動通信端末２００ａ、２００ｂ、２００ｃは、それぞれが保持するＣＳＧリストにＣＳＧ基地局装置１０１ｂがないため、ＣＳＧ基地局装置１０１ｂとは通信できないと判断してしまう。
【００１９】
図２では、ＣＳＧ基地局装置１０１ｂが追加されたことを認識すると、マクロセル基地局装置１００ａは、ＣＳＧ基地局装置１０１ｂの識別情報であるＣＳＧ＿ＩＤを、セル内同報により、そのマクロセル内の移動通信端末２００ａ、２００ｂ、２００ｃに一斉配信する。すると、図３のように、セル内同報を受信した移動通信端末２００ａ、２００ｂ、２００ｃは、配信されたＣＳＧ＿ＩＤをＣＳＧリストに追加する。これにより、ＣＳＧ基地局装置１０１ｂの近くに位置する移動通信端末２００ｃは、ＣＳＧ基地局装置１０１ｂを利用できるようになる。
【００２０】
図４、図５、図６は、マクロセル基地局装置１００ａとＣＳＧ基地局装置１０１ａ、１０１ｂとを有する移動体通信システムの具体的な動作の例を示す図である。図４に示すように、ここでは、マクロセル基地局装置１００ａのセル内にＣＳＧセル基地局装置１０１ａが設置され、ＣＳＧセルに移動通信端末２００ａが位置し、マクロセルに移動通信端末２００ｂ、２００ｃが位置する。ここでは、無線基地局(マクロセル)が、そのサービスエリア内に、図１から図３のようにして新規に設置されたＣＳＧ基地局装置、または、すでに設置済みのＣＳＧ基地局装置が削除されるか、特定の移動通信端末のみアクセス可能になった場合、サービスエリア内に在圏している移動通信端末へ、その削除されたＣＳＧ基地局装置のＣＳＧ＿ＩＤをセル内同報（ＣＢＳ）にて配信する場合を説明する。
【００２１】
図4に示すように、削除予定のＣＳＧ基地局装置１０１ｂがある場合に、その削除予定のＣＳＧ基地局装置１０１ｂのＣＳＧ＿ＩＤは、まだ移動通信端末２００ａ、２００ｂ、２００ｃのＣＳＧリストに保存されているので、その近くの移動通信端末２００ｃはＣＳＧ基地局装置１０１ｂを、利用しようとする。次に、図５に示すように、ＣＳＧ基地局装置１０１ｂが削除されたことを認識すると、マクロセル基地局装置１００ａは、ＣＳＧ＿ＩＤを削除することを示す情報をセル内同報にて、そのマクロセル内の移動通信端末２００ａ、２００ｂ、２００ｃに一斉配信する。すると、図6のように、セル内同報を受信した移動通信端末２００ａ、２００ｂ、２００ｃは、削除されたＣＳＧ基地局装置１０１ｂのＣＳＧ＿ＩＤを認識し、ＣＳＧリストからそのＣＳＧ＿ＩＤを削除する。これにより、ＣＳＧ基地局装置１０１ｂの近くにある移動通信端末２００ｃも、ＣＳＧ基地局装置１０１ｂを利用しないようになる。
【００２２】
図７は、本実施形態における移動体通信システムの構成を示す概略ブロック図である。
図７に示すように、本実施形態における移動体通信システムは、マクロセル基地局装置１００ａ、・・・１００ｍ、ＣＳＧ基地局装置１０１ａ、・・・１０１ｎ、移動通信端末２０１ａ、・・・２０１ｋ、ネットワーク３００、上位装置４００を備える。なお、上述の図１から図６における各装置は、この本実施形態における移動体通信システムの一部の装置を抽出して記載したものである。
【００２３】
マクロセル基地局装置１００ａ、・・・１００ｍは、全ての移動通信端末と通信可能なマクロセルの基地局装置である。マクロセル基地局装置１００ａ、・・・１００ｍは、図１から図３を用いて説明したように、ＣＳＧ基地局装置が全ての移動通信端末の接続を許容するように設定されたことを、ＣＳＧ基地局装置のＣＳＧ＿ＩＤをセル内同報を用いて送信することで、移動通信端末に通知する。また、マクロセル基地局装置１００ａ、・・・１００ｍは、全ての移動通信端末の接続を許容する設定を解除したことを、設定が解除されたＣＳＧ基地局装置のＣＳＧ＿ＩＤと解除を示す情報とをセル内同報を用いて送信することで、移動通信端末に通知する。
【００２４】
なお、図１から図３では、ＣＳＧ基地局装置が新たに設置され、かつ、全ての移動通信端末の接続を許容するように設定された場合の例を説明したが、予め設置されているＣＳＧ基地局装置が全ての移動通信端末の接続を許容するように設定された場合も、そのＣＳＧ＿ＩＤをセル内同報を用いて送信することで、移動通信端末に通知する。同様に、図４から図６では、全ての移動通信端末の接続を許容するように設定されたＣＳＧ基地局装置を撤去する場合の例を説明したが、ＣＳＧ基地局装置は設置したままで、全ての移動通信端末の接続を許容する設定の解除のみを行った場合も、そのＣＳＧ＿ＩＤと解除を示す情報とをセル内同報を用いて送信することで、移動通信端末に通知する。
【００２５】
ＣＳＧ基地局装置１０１ａ、・・・１０１ｎは、通常運用時には、移動通信端末２０１ａ、・・・２０１ｋのうち、各々に予め設定されている特定の移動通信端末のみ接続を許容し、緊急時などには、上位装置４００からの通知を受けて、全ての移動通信端末の接続を許容するＣＳＧセルの基地局装置である。移動通信端末２０１ａ、・・・２０１ｋは、マクロセル基地局装置１００ａ、・・・１００ｍおよびＣＳＧ基地局装置１０１ａ、・・・１０１ｎと通信する。なお、移動通信端末２０１ａ、・・・・２０１ｋは、ＣＳＧ基地局装置１０１ａ、・・・１０１ｎのいずれかと通信するときは、自装置内の記憶媒体に記憶しているＣＳＧリストを参照し、通信しようとしているＣＳＧ基地局装置のＣＳＧ＿ＩＤがＣＳＧリストにあるときは、そのＣＳＧ基地局装置と通信可能であると判定し、そのＣＳＧ基地局装置との通信を開始する。通信しようとしているＣＳＧ基地局装置のＣＳＧ＿ＩＤがＣＳＧリストにないときは、そのＣＳＧ基地局装置と通信できないと判定し、そのＣＳＧ基地局装置に対する通信を行なわない。
【００２６】
上位装置４００は、災害の発生などの緊急時であることをオペレータに設定される、他装置から設定される、あるいは、緊急時であることを検出すると、各ＣＳＧ基地局装置に対して、全ての移動通信端末と通信可能とするように指示をする開放指示通知を送信する。また、上位装置４００は、災害の発生などの緊急時であることを設定される、あるいは、検出すると、既に設置されているＣＳＧ基地局装置のＣＳＧ＿ＩＤと、それらのＣＳＧ基地局装置の追加が発生したことと、全ての移動通信端末と通信可能とすることとを含む開放通知を、そのＣＳＧ基地局装置が位置するマクロセル（通信範囲）のマクロセル基地局装置に対して送信する。なお、上述の開放指示通知の通知先のＣＳＧ基地局装置、および、開放通知の通知内容のＣＳＧ＿ＩＤのＣＳＧ基地局装置を、既に設置されている全てのＣＳＧ基地局装置とするようにしてもよいし、オペレータに指定されたＣＳＧ基地局装置とするようにしてもよいし、災害の発生が要因であれば、災害の発生箇所に応じたＣＳＧ基地局装置とするようにしてもよい。
【００２７】
さらに、上位装置４００は、全ての移動通信端末と通信可能とするＣＳＧ基地局装置の追加、削除が発生したことを、オペレータに設定される、あるいは、追加、削除対象のＣＳＧ基地局装置などを、他装置から通知されると、全ての移動通信端末と通信可能とするＣＳＧ基地局装置の追加、削除が発生したことと、そのＣＳＧ基地局装置のＣＳＧ＿ＩＤとを含む開放通知を、そのＣＳＧ基地局装置が位置するマクロセルのマクロセル基地局装置に通知する。また、上位装置４００は、各ＣＳＧ基地局装置と通信可能な移動通信端末の追加、または、削除があると、それらをＣＳＧ＿ＩＤと端末＿ＩＤと追加または削除を示す情報とにより示すＣＳＧ制御通知を、そのＣＳＧ基地局装置が設置されているマクロセルのマクロセル基地局装置に通知する。
【００２８】
図８は、マクロセル基地局装置１００ａの構成を示す概略ブロック図である。なお、その他のマクロセル基地局装置１００ｂ、１００ｃ…も、マクロセル基地局装置１００ａと同様の構成であるため、説明を省略する。マクロセル基地局装置１００ａは、送信部１０、受信部１１、信号処理部１２、記憶部１３、ネットワーク接続部１４、アンテナ１５を具備する。送信部１０は、信号処理部１２から受けた送信データを変調し、無線周波数にアップコンバートした後、アンテナ１５を介して、移動通信端末２０１ａ、・・・２０１ｋに送信する。受信部１１は、アンテナ１５を介して、移動通信端末２０１ａ、・・・２０１ｋからの信号を受信し、ベースバンド周波数にダウンコンバートした後、復調して受信データを生成し、信号処理部１２に出力する。信号処理部１２は、送信部１０、受信部１１を用いて、移動通信端末２０１ａ、・・・２０１ｋとの通信を制御する。また、信号処理部１２は、ネットワーク接続部１４を用いて、ネットワーク３００に接続された基地局装置や上位装置４００との通信を制御する。記憶部１３は、当該マクロセル基地局装置１００ａのサービスエリア内に設置されているＣＳＧ基地局装置に関する情報のリストであるＣＳＧリストを記憶する。
【００２９】
図９は、信号処理部１２および記憶部１３の構成を示す概略ブロック図である。信号処理部１２は、ＣＳＧ更新検出部１２１、ＣＳＧ管理部１２２、個別チャネル処理部１２３、報知チャネル処理部１２４を具備する。ＣＳＧ更新検出部１２１は、上位装置４００からの開放通知およびＣＳＧ制御通知をネットワーク接続部１４を介して受け、これらをＣＳＧ管理部１２２に出力する。ＣＳＧ管理部１２２は、開放通知およびＣＳＧ制御通知を受けると、これらに応じてＣＳＧ記憶部１３１を更新する。また、ＣＳＧ管理部１２２は、開放通知を受けたときは、報知チャネル処理部１２４に対して、開放通知の内容を配信するように指示する。また、ＣＳＧ管理部１２２は、ＣＳＧ制御通知を受けたときは、個別チャネル処理部１２３に対して、ＣＳＧ制御通知の対象となっている移動通信端末に対して、ＣＳＧ制御通知の内容を配信するように指示する。
【００３０】
個別チャネル処理部１２３は、ＣＳＧ管理部１２２からの指示を受けて、ＣＳＧ制御通知により指定された移動通信端末への個別チャネルを用いて、ＣＳＧリストに対するＣＳＧ＿ＩＤの追加、または、削除の指示を送信するように、該指示の信号を送信部１０に出力する。報知チャネル処理部１２４は、ＣＳＧ管理部１２２からの指示を受けて、報知チャネルを用いて、すなわちセル内同報により、開放通知により指定されたＣＳＧ＿ＩＤの追加、または、削除の指示を送信するように、該指示の信号を送信部１０に出力する。
【００３１】
記憶部１３は、ＣＳＧ記憶部１３１を具備する。ＣＳＧ記憶部１３１は、当該マクロセル基地局装置１００ａのサービスエリア内に設置されているＣＳＧ基地局装置のＣＳＧ＿ＩＤと、そのＣＳＧ＿ＩＤをセル内同報にて報知したか否かを示す報知フラグと、移動通信端末を識別する端末＿ＩＤとを対応付けたＣＳＧリストを記憶する。
【００３２】
図１０は、ＣＳＧ記憶部１３１の記憶内容例を示す図である。ＣＳＧ記憶部１３１は、ＣＳＧ＿ＩＤ「０１２３」と、報知フラグ「１」と、端末＿ＩＤのデータなしとを対応付けて記憶し、ＣＳＧ＿ＩＤ「０１２３」と、報知フラグ「０」と、端末＿ＩＤ「１０００８、１００１０」とを対応付けて記憶するというように、ＣＳＧ＿ＩＤと報知フラグと端末＿ＩＤとを対応付けて記憶する。なお、端末＿ＩＤには、報知フラグが「０」のときのみデータがあり、報知フラグが「１」のときは、データがない。すなわち、報知フラグが「１」のときは、開放通知に基づき報知チャネルにてＣＳＧ＿ＩＤを通知したことを示しており、報知チャネルにて通知したときは、移動通信端末を指定せずに全ての移動通信端末に通知しているからである。また、報知フラグが「０」のときは、ＣＳＧ制御通知に基づき移動通信端末個別に配信する個別チャネルにてＣＳＧ＿ＩＤを通知したことを示しており、個別チャネルにて通知したときは、端末＿ＩＤが、その宛先の移動通信端末の識別情報となっている。
【００３３】
図１１は、本実施形態における移動通信端末２００ａの構成を示す概略ブロック図である。なお、その他の移動通信端末２００ｂ、２００ｃ…も、移動通信端末２００ａと同様の構成であるので、説明を省略する。移動通信端末２００ａは、送信部２０、受信部２１、信号処理部２２、記憶部２３、ＵＩ（User Interface；ユーザインターフェース）部２４、アンテナ２５を具備する。送信部２０は、信号処理部２２から受けた信号を変調し、無線周波数にアップコンバートした後、アンテナ２５を介して、マクロセル基地局装置１００ａ、・・・１０１ｍ、ＣＳＧ基地局装置１０１ａ、・・・ＣＳＧ基地局装置１０１ｎに送信する。受信部２１は、アンテナ２５を介して、マクロセル基地局装置１００ａ、・・・１０１ｍ、ＣＳＧ基地局装置１０１ａ、・・・ＣＳＧ基地局装置１０１ｎからの信号を受信し、ベースバンド周波数にダウンコンバートした後、復調する。
【００３４】
ＵＩ部２４は、ユーザによる操作入力を受け付ける数字、文字の入力を行うキーボタンや、四方向指示、選択指示を行うキーボタン、音声の入力を行うマイクロフォンを備え、これらのキーボタンにより入力された送信データや、操作指示を信号処理部２２に出力する。また、ＵＩ部２４は、画像によりユーザへ情報を提示する液晶、有機ＥＬなどのディスプレイ、音声によりユーザへ情報を提示するスピーカなどを備え、信号処理部２２から受けた受信データをユーザへ提示する。信号処理部２２は、ＵＩ部２４を介したユーザの操作指示に従い、送信部２０、受信部２１を用いて、マクロセル基地局装置１００ａ、・・・１０１ｍ、ＣＳＧ基地局装置１０１ａ、・・・ＣＳＧ基地局装置１０１ｎとの通信を制御する。記憶部２３は、ＣＳＧリストを記憶する。ここで、ＣＳＧリストとは、当該移動通信端末２００ａが接続可能なＣＳＧ基地局装置の識別情報（ＣＳＧ＿ＩＤ）と、そのＣＳＧ＿ＩＤが報知チャネルにて通知されたか否かを示す情報とが対応付けられたリストである。
【００３５】
図１２は、信号処理部２２と記憶部２３との構成を示す概略ブロック図である。信号処理部２２は、通信処理部２２１、接続基地局決定部２２２、ＣＳＧリスト管理部２２３を具備する。記憶部２３は、ＣＳＧリスト記憶部２３１を具備する。通信処理部２２１は、ＵＩ部２４と送信部２０および受信部２１との間の、送信データおよび受信データの仲介をする。また、通信処理部２２１は、接続基地局決定部２２２が決定した基地局装置との間の通信制御を行うための制御データを生成して、送信部２０に出力するとともに、その基地局装置からの制御データを受信部２１から受ける。接続基地局決定部２２２は、各基地局装置からの信号の受信レベルや、ＣＳＧリスト記憶部２３１が記憶するＣＳＧリストに基づき、接続する基地局を決定し、通信処理部２２１に通知する。また、接続基地局決定部２２２は、決定した基地局装置と通信するための周波数を、送信部２０および受信部２１に設定する。
【００３６】
ＣＳＧリスト管理部２２３は、マクロセル基地局装置からのＣＳＧ＿ＩＤの追加、削除の通知を受信部２１から受けて、ＣＳＧリスト記憶部２３１のＣＳＧリストを更新する。
なお、ＣＳＧリスト管理部２２３は、ＣＳＧリストにＣＳＧ＿ＩＤを記憶する際に、報知チャネルによる通知であるか、個別チャネルによる通知であるかをＣＳＧ＿ＩＤに対応づけて記憶する。ＣＳＧリスト管理部２２３は、マクロセル基地局装置からのＣＳＧ＿ＩＤの削除の通知があったときは、その通知が個別チャネルにて通知されたときは、個別チャネルによる通知で追加された該当のＣＳＧ＿ＩＤをＣＳＧリストから削除し、その通知が報知チャネルにて通知されたときは、報知チャネルによる通知で追加された該当のＣＳＧ＿ＩＤをＣＳＧリストから削除する。
【００３７】
ＣＳＧリスト記憶部２３１は、当該移動通信端末が接続を許可されているＣＳＧ基地局装置のＣＳＧ＿ＩＤと、そのＣＳＧ＿ＩＤを許可の通知が報知チャネルにて通知されたか、個別チャネルにて通知されたかを示す情報とを対応付けたＣＳＧリストを記憶する。図１３は、ＣＳＧリスト記憶部２３１が記憶するＣＳＧリストの例を示す図である。図１３に示すように、ＣＳＧリストには、ＣＳＧ＿ＩＤと、該ＣＳＧ＿ＩＤの通知が報知チャネルにて通知されたか、個別チャネルにて通知されたかを示す報知フラグとを対応付けて記憶する。
【００３８】
図１３に示す例では、ＣＳＧ＿ＩＤ「０１２３」と、報知チャネルにて通知されたことを示す報知フラグ「１」とを対応付けて記憶しており、同様に、ＣＳＧ＿ＩＤ「０１２３」と、個別チャネルにて通知されたことを示す報知フラグ「０」とを対応付けて記憶している。さらに、ＣＳＧ＿ＩＤ「０２４６」と報知フラグ「１」とを対応付けて記憶し、ＣＳＧ＿ＩＤ「０４９２」と報知フラグ「１」とを対応付けて記憶している。このように報知フラグと対応付けることで、当該移動通信端末が接続を許容されているＣＳＧ基地局装置のＣＳＧ＿ＩＤと、セル内同報を用いて送信されたＣＳＧ基地局装置のＣＳＧ＿ＩＤとを識別可能に記憶している。なお、報知フラグを設けずに、当該移動通信端末が接続を許容されているＣＳＧ基地局装置のＣＳＧ＿ＩＤを記憶する領域と、セル内同報を用いて送信されたＣＳＧ基地局装置のＣＳＧ＿ＩＤを記憶する領域とを、別々に設けて、これらを識別可能に記憶するようにしてもよい。
【００３９】
図１４は、ＣＳＧ基地局装置が新設されるときの本実施形態における移動体通信システムの動作を説明するフローチャートである。ＣＳＧ基地局装置が新規に設置され、例えば、設置されたＣＳＧ基地局装置からの通知により、上位装置４００にＣＳＧ基地局装置の追加が設定されると（Ｓａ１）、上位装置４００は、追加されたＣＳＧ基地局装置のＣＳＧ＿ＩＤの一斉送信が必要か否かを判定する（Ｓａ２）。
【００４０】
緊急時であり、追加されたＣＳＧ基地局装置を、全ての移動通信端末が利用可能とする設定であるときは、一斉送信が必要であると判定し（Ｓａ２−Ｙ）、ステップＳａ３に遷移する。ステップＳａ３では、上位装置４００が、追加されたＣＳＧ基地局装置のＣＳＧ＿ＩＤと追加を示す情報とを含む開放通知をマクロセル基地局装置に送信し、これを受けたマクロセル基地局装置は、セル内同報にて、該ＣＳＧ＿ＩＤの追加を通知する。このマクロセル基地局装置のサービス範囲内に位置する全移動通信端末は、このセル内同報を受信し（Ｓａ４）、そのＣＳＧリストに、通知されたＣＳＧ＿ＩＤと、報知フラグ「１」とを対応付けて保存し（Ｓａ５）、処理を終了する。これにより、全移動通信端末は、新設されたＣＳＧ基地局装置を利用可能となる。
【００４１】
一方、ステップＳａ２の判定において、通常時であり、追加されたＣＳＧ基地局装置を、特定の移動通信端末のみにて利用可能とする設定であるときは、一斉送信が必要でないと判定し（Ｓａ２−Ｎ）、ステップＳａ６に遷移する。ステップＳａ６では、上位装置４００が、追加されたＣＳＧ基地局装置のＣＳＧ＿ＩＤと、追加を示す情報と、該ＣＳＧ基地局装置を利用可能とする移動通信端末の端末＿ＩＤとを含むＣＳＧ制御通知をマクロセル基地局装置に送信し、これを受けたマクロセル基地局装置は、ＣＳＧ制御通知に含まれている端末＿ＩＤの移動通信端末への個別チャネルにて、ＣＳＧ制御通知に含まれているＣＳＧ＿ＩＤの追加を通知する。この通知を、個別チャネルの対象の移動通信端末が受信し（Ｓａ７）、そのＣＳＧリストに、通知されたＣＳＧ＿ＩＤと、報知フラグ「０」とを対応付けて保存し（Ｓａ８）、処理を終了する。これにより、個別チャネルにより、ＣＳＧ＿ＩＤの追加を通知された移動通信端末のみ、該ＣＳＧ＿ＩＤのＣＳＧ基地局装置を利用可能となる。
【００４２】
図１５は、ＣＳＧ基地局装置が撤去されるときの本実施形態における移動体通信システムの動作を説明するフローチャートである。ＣＳＧ基地局装置が撤去され、例えば、撤去されるＣＳＧ基地局装置からの通知により、上位装置４００にＣＳＧ基地局装置の削除が設定されると（Ｓｂ１）、上位装置４００は、撤去されるＣＳＧ基地局装置のＣＳＧ＿ＩＤの一斉送信が必要か否かを判定する（Ｓｂ２）。
【００４３】
緊急時であり、撤去されるＣＳＧ基地局装置が、全ての移動通信端末が利用可能とする設定であるときは、一斉送信が必要であると判定し（Ｓｂ２−Ｙ）、ステップＳｂ３に遷移する。ステップＳｂ３では、上位装置４００が、撤去されるＣＳＧ基地局装置のＣＳＧ＿ＩＤと削除を示す情報とを含む開放通知をマクロセル基地局装置に送信し、これを受けたマクロセル基地局装置は、セル内同報にて、該ＣＳＧ＿ＩＤの削除を通知する。このマクロセル基地局装置のサービス範囲内に位置する全移動通信端末は、このセル内同報を受信し（Ｓｂ４）、そのＣＳＧリストから、通知されたＣＳＧ＿ＩＤであり、報知フラグ「１」と対応付けて記憶されているＣＳＧ＿ＩＤを削除し（Ｓｂ５）、処理を終了する。これにより、全移動通信端末は、撤去されるＣＳＧ基地局装置を利用できなくなる。
【００４４】
一方、ステップＳｂ２の判定において、通常時であり、撤去されるＣＳＧ基地局装置は、特定の移動通信端末のみにて利用可能とする設定であるときは、一斉送信が必要でないと判定し（Ｓｂ２−Ｎ）、ステップＳｂ６に遷移する。ステップＳｂ６では、上位装置４００が、撤去されるＣＳＧ基地局装置のＣＳＧ＿ＩＤと、削除を示す情報と、該ＣＳＧ基地局装置を利用可能とされている移動通信端末の端末＿ＩＤとを含むＣＳＧ制御通知をマクロセル基地局装置に送信し、これを受けたマクロセル基地局装置は、ＣＳＧ制御通知に含まれている端末＿ＩＤの移動通信端末への個別チャネルにて、ＣＳＧ制御通知に含まれているＣＳＧ＿ＩＤの削除を通知する。この通知を、個別チャネルの対象の移動通信端末が受信し（Ｓｂ７）、そのＣＳＧリストから、通知されたＣＳＧ＿ＩＤであり、報知フラグ「０」と対応付けて記憶されているＣＳＧ＿ＩＤを削除し（Ｓｂ８）、処理を終了する。これにより、撤去されるＣＳＧ基地局装置と通信可能に設定されていた移動通信端末には、そのＣＳＧ＿ＩＤの削除が個別チャネルにより通知され、撤去されるＣＳＧ基地局装置を利用できなくなる。
【００４５】
なお、ＣＳＧリスト管理部２２３は、ＣＳＧ＿ＩＤをＣＳＧリストに追加する際に、ＣＳＧリスト記憶部２３１の記憶領域に空きがなかったときは、通知されたＣＳＧ＿ＩＤのうち、最も古いものから上書きするようにしてもよいし、利用頻度の低いものから上書きしてもよいし、ユーザによって選択されたＣＳＧ＿ＩＤを上書きするようにしてもよい。
【００４６】
このように、マクロセル基地局装置が、全ての移動通信端末の接続を許容するように設定されているＣＳＧ基地局装置をセル内同報にて通知するようにしたので、移動通信端末は、これらのＣＳＧ基地局装置と通信できるようになり、マクロセル基地局装置へのトラフィックの集中を抑え、無線区間にて輻輳が発生することを抑制することができる。
【００４７】
［第２の実施形態］
以下、図面を参照して、本発明の第２の実施形態について説明する。第１の実施形態では、全ての移動通信端末に接続を許容する設定がされたＣＳＧ基地局装置のＣＳＧ＿ＩＤ、および、その設定が解除されたＣＳＧ基地局装置のＣＳＧ＿ＩＤをセル内同報にて送信した。本実施形態では、全ての移動通信端末に接続を許容する設定がされているＣＳＧ基地局装置のＣＳＧ＿ＩＤをセル内同報にて送信する例について記載する。本実施形態における移動体通信システムは、第１の実施形態における移動体通信システムと同様の構成であるが、そのマクロセル基地局装置１００ａ、…１００ｍに替えて、マクロセル基地局装置１０２ａ、…１０２ｍを備える点が異なる。さらに、マクロセル基地局装置１０２ａ、…１０２ｍは、第１の実施形態におけるマクロセル基地局装置１００ａ、…１００ｍとは、信号処理部１２に替えて、信号処理部１２ａを備える点が異なる。
【００４８】
図１６は、本実施形態における信号処理部１２ａの構成を示す概略ブロック図である。
信号処理部１２ａは、第１の実施形態における信号処理部１２とは、ＣＳＧ管理部１２２に替えて、ＣＳＧ管理部１２２ａを備える点が異なる。信号処理部１２ａは、ＣＳＧ更新検出部１２１、ＣＳＧ管理部１２２ａ、個別チャネル処理部１２３、報知チャネル処理部１２４を備える。同図において、図９の各部に対応する部分には同一の符号（１２１、１２３、１２４）を付け、その説明を省略する。
【００４９】
ＣＳＧ管理部１２２ａは、定期的に、報知チャネル処理部１２４に対して、ＣＳＧ記憶部１３１が報知フラグ「１」と対応付けて記憶するＣＳＧ＿ＩＤを配信するように指示する。また、ＣＳＧ管理部１２２ａは、開放通知およびＣＳＧ制御通知を受けると、これらに応じてＣＳＧ記憶部１３１を更新する。また、ＣＳＧ管理部１２２ａは、ＣＳＧ制御通知を受けたときは、個別チャネル処理部１２３に対して、ＣＳＧ制御通知の対象となっている移動通信端末に対して、ＣＳＧ制御通知の内容を配信するように指示する。
【００５０】
本実施形態における移動体通信システムの動作例を説明する。マクロセル基地局装置１０２ａ、…１０２ｍは、そのマクロセル内に新規に設置されたＣＳＧセル、または、すでに設置済みのＣＳＧセルに対して、全ての移動通信端末の接続を許容する設定とする開放通知を受けると、そのマクロセルに在圏している移動通信端末に、その時点での全ての移動通信端末の接続を許容する設定がされているＣＳＧ基地局装置のＣＳＧ＿ＩＤを、セル内同報にて送信する。例えば、マクロセル基地局装置１０２ａのマクロセル内で新たに設定されたＣＳＧ基地局装置のＣＳＧ＿ＩＤが「８４２１」であり、元々設定されていたＣＳＧ基地局装置が、例えば２つあり、それらのＣＳＧ＿ＩＤが「０１２３、０１２４」であるときは、マクロセル基地局装置１０２がセル内同報で送信するＣＳＧ＿ＩＤは、元々の「０１２３、０１２４」に、「８４２１」を追加した「０１２３、０１２４、８４２１」である。
【００５１】
このように、マクロセル基地局装置が、自装置のマクロセル内に設置されているＣＳＧ基地局装置であって、全ての移動通信端末の接続を許容するように設定されているＣＳＧ基地局装置をセル内同報にて通知するようにしても、第１の実施形態と同様に、移動通信端末は、これらのＣＳＧ基地局装置と通信できるようになるため、マクロセル基地局装置へのトラフィックの集中を抑え、無線区間にて輻輳が発生することを抑制することができる。
【００５２】
［第３の実施形態］
以下、図面を参照して、本発明の第３の実施形態について説明する。本実施形態では、移動通信端末に対して、その移動通信端末の属するマクロセル内部のＣＳＧ基地局装置のＣＳＧ＿ＩＤ、およびそのマクロセルの近接するマクロセル内部のＣＳＧ基地局装置のＣＳＧ＿ＩＤを送信する。なお、近接の範囲は、マクロセル基地局装置または上位装置が判定する。例えば、マクロセル基地局装置または上位装置は、マクロセルごとにそのマクロセルに近隣するマクロセルのリストを予め保持し、そのリストに基づいて近隣するマクロセルを判定する。これにより、マクロセル同士が離れていて、無線通信が困難（電波が届かない、接続できない）なＣＳＧ基地局装置のＣＳＧ＿ＩＤを配信することを防止できる。
本実施形態における移動体通信システムは、第１または第２の実施形態における移動体通信システムと同様の構成である。本実施形態では、そのマクロセル基地局装置を、マクロセル基地局装置１０３ａ、…１０３ｍという。
【００５３】
図１７、図１８は、この発明の第３の実施形態における移動体通信システムの具体的な動作の例を示す図である。図１に示すように、ここでは、マクロセル基地局装置１０３ａ（図１ではマクロセル基地局装置１００ａ）のマクロセル内にＣＳＧセル基地局装置１０１ａが設置され、そのＣＳＧセルに移動通信端末２００ａが位置し、先のマクロセルには、さらに移動通信端末２００ｂ、２００ｃが位置する。図１７では、マクロセル基地局装置１０３ａのマクロセルに近接するマクロセル基地局装置１０３ｂ内に、ＣＳＧセル基地局装置１０１ｃが設置される。このＣＳＧセル基地局装置１０１ｃは、災害などが発生し、マクロセル基地局装置１０３ａまたは１０３ｂのマクロセル内のトラフィックが増加したときに、マクロセルへのトラフィックの集中を避けるために、設置されたものでもよいし、予め設置されているものでもよい。
【００５４】
図１７では、ＣＳＧ基地局装置１０１ｃが追加された場合、ＣＳＧ基地局装置１０１ｃは、ＣＳＧ基地局装置１０１ｃの識別情報であるＣＳＧ＿ＩＤを、上位装置４００に通知する。上位装置４００は、通知されたＣＳＧ＿ＩＤをマクロセル基地局装置１０３ａにＣＳＧ＿ＩＤを通知する。マクロセル基地局装置１０３ａは、通知されたＣＳＧ基地局装置１０１ｃの識別情報であるＣＳＧ＿ＩＤを、セル内同報により、そのマクロセル内の移動通信端末２００ａ、２００ｂ、２００ｃに一斉配信する。すると、図１８のように、セル内同報を受信した移動通信端末２００ａ、２００ｂ、２００ｃは、配信されたＣＳＧ＿ＩＤをＣＳＧリストに追加する。これにより、ＣＳＧ基地局装置１０１ｃの近くに位置する移動通信端末２００ｂは、属するマクロセル以外のマクロセルのＣＳＧ基地局装置１０１ｃを利用できるようになる。
【００５５】
図１９は、本実施形態における移動体通信システムの動作を説明するシーケンス図である。移動通信端末２００ｂは、マクロセル基地局装置１０３ａと通信をしている（Ｓｃ１）。マクロセル基地局装置１０３ｂのマクロセル内にＣＳＧ基地局装置１０１ｃが新規に設置され、例えば、設置されたＣＳＧ基地局装置１０１ｃからの通知により、上位装置４００にＣＳＧ基地局装置の追加が設定される（Ｓｃ２）。この通知は、マクロセル基地局装置１０３ｂを介して行われてもよい。
上位装置４００は、追加されたＣＳＧ基地局装置１０１ｃのＣＳＧ＿ＩＤを含むＣＳＧ制御通知を、マクロセル基地局装置１０３ｂに近接するマクロセル基地局装置１０３ａに通知する（Ｓｃ３）。マクロセル基地局装置１０３ａは、セル内同報にて、通知されたＣＳＧ基地局装置１０１ｃのＣＳＧ＿ＩＤの追加を通知する（Ｓｃ４）。このマクロセル基地局装置１０３ａのサービス範囲内に位置する全移動通信端末は、このセル内同報を受信し、そのＣＳＧリストに、通知されたＣＳＧ＿ＩＤと、報知フラグ「１」とを対応付けて保存する（Ｓｃ５）。
【００５６】
例えば、移動通信端末２００ｂは、ＣＳＧリストのＣＳＧ＿ＩＤのＣＳＧ基地局装置の受信品質を用いて、セルサーチを行う（Ｓｃ６）。つまり、移動通信端末２００ｂは、マクロセルとＣＳＧセルの両方と通信可能であって両方の受信品質を保持する場合であっても、ＣＳＧセルの受信品質を優先して用いることにより、ＣＳＧセルを優先的に選択する。移動通信端末２００ｂは、追加されたＣＳＧ＿ＩＤのＣＳＧ基地局装置１０１ｃの受信品質を取得し（Ｓｃ７）、この受信品質が予め定められた閾値以上の場合には、ＣＳＧ基地局装置１０１ｃにハンドオーバすることを決定する。移動通信端末２００ｂは、ＣＳＧ基地局装置１０１ｃへのハンドオーバ要求を、マクロセル基地局装置１０３ａへ送信する。移動通信端末２００ｂ、マクロセル基地局装置１０３ａ、上位装置４００、マクロセル基地局装置１０３ｂ、ＣＳＧ基地局装置１０１ｃは通信を行い、移動通信端末２００ｂをＣＳＧ基地局装置１０１ｃへハンドオーバさせる（Ｓｃ９）。移動通信端末２００ｂは、ＣＳＧ基地局装置１０１ｃと通信する（Ｓｃ１０）。
【００５７】
以下、図１９に示した各装置の動作の具体例について説明をする。
図２０は、本実施形態におけるＣＳＧ基地局装置１０１ｃの動作を説明するフローチャートである。ＣＳＧ基地局装置１０１ｃが新規に設置され（Ｓｄ１）、例えば、設置されたＣＳＧ基地局装置１０１ｃが上位装置４００にＣＳＧ＿ＩＤを通知する（Ｓｄ２）。その後、ＣＳＧ基地局装置１０１ｃは、接続要求メッセージ（例えば、ハンドオーバ要求メッセージ）を受信しない場合（Ｓｄ３−Ｎ）、待機状態になる（Ｓｄ４）。一方、ＣＳＧ基地局装置１０１ｃは、接続要求メッセージを受信した場合（Ｓｄ３−Ｙ）、ハンドオーバ動作を行い（Ｓｄ５）、移動通信端末２００ｂと接続する（Ｓｄ６）。
【００５８】
図２１は、本実施形態における上位装置４００（例えば、ＭＭＥまたはＨｅＮＢゲートウェイ）の動作を説明するフローチャートである。ＣＳＧ基地局装置１０１ｃが新規に設置されると（Ｓｅ１）、上位装置４００は、設置されたＣＳＧ基地局装置１０１ｃのＣＳＧ＿ＩＤを取得する（Ｓｅ２）。上位装置４００は、マクロセルの識別情報（セルＩＤ）ごとに、マクロセル内のＣＳＧセルのＣＳＧ＿ＩＤ、および近接するマクロセルのセルＩＤを、ＣＳＧ管理情報として予め記憶する。上位装置４００は、ＣＳＧ基地局装置１０１ｃのＣＳＧ＿ＩＤを、マクロセル基地局装置１０３ｂのセルＩＤと対応付けることで、ＣＳＧ管理情報を更新する（Ｓｅ３）。これにより上位装置４００にＣＳＧ基地局装置の追加が設定されると、上位装置４００は、追加されたＣＳＧ基地局装置１０１ｃのＣＳＧ＿ＩＤの一斉送信が必要か否かを判定する（Ｓｅ４）。一斉送信が必要であると判定した場合には、ステップＳｅ５に遷移し、上位装置４００は、ＣＳＧ基地局装置１０１ｃのＣＳＧ＿ＩＤを含むＣＳＧ制御通知を、マクロセル基地局装置１０３ｂ、およびマクロセル基地局装置１０３ｂに近接するマクロセル基地局装置１０３ａに通知する（Ｓｅ５）。
【００５９】
図２２は、本実施形態におけるマクロセル基地局装置１０３ａの動作を説明するフローチャートである。マクロセル基地局装置１０３ａは、移動通信端末２００ｂと通信をしている（Ｓｆ１）。マクロセル基地局装置１０３ａは、上位装置４００からＣＳＧ制御通知を受信し（Ｓｆ２）、受信したＣＳＧ制御通知に含まれるＣＳＧ＿ＩＤを一斉配信する（Ｓｆ３）。なお、マクロセル基地局装置１０３ａは、受信したＣＳＧ制御通知に含まれるＣＳＧ＿ＩＤを移動通信端末２００ｂへ個別に配信してもよい。また、配信されるＣＳＧ＿ＩＤは、接続を許容する設定がされたＣＳＧ基地局装置のＣＳＧ＿ＩＤのみでもよいし、接続を許容する設定がされているＣＳＧ基地局装置のＣＳＧ＿ＩＤすべてであってもよい。
その後、マクロセル基地局装置１０３ａは、ハンドオーバ要求メッセージを受信しない場合（Ｓｆ４−Ｎ）、移動通信端末２００ｂとの通信を継続する（Ｓｆ５）。一方、マクロセル基地局装置１０３ａは、ハンドオーバ要求メッセージを受信した場合（Ｓｄ４−Ｙ）、ハンドオーバ動作を行い（Ｓｄ６）、移動通信端末２００ｂとの接続を開放する（Ｓｄ７）。
【００６０】
図２３は、本実施形態における移動通信端末２００ｂの動作を説明するフローチャートである。移動通信端末２００ｂは、マクロセル基地局装置１０３ａと通信をしている（Ｓｇ１）。移動通信端末２００ｂは、一斉配信されたＣＳＧ＿ＩＤを受信し（Ｓｇ２）、そのＣＳＧリストに、通知されたＣＳＧ＿ＩＤを保存することで、ＣＳＧリストを更新する（Ｓｇ３）。移動通信端末２００ｂは、セルサーチを行い（Ｓｇ４）、追加されたＣＳＧ＿ＩＤに基づいてＣＳＧ基地局装置１０１ｃからの参照信号の検出を試みる。
【００６１】
移動通信端末２００ｂは、ＣＳＧ基地局装置１０１ｃからの参照信号の検出し、その参照信号に基づいて測定した受信品質が予め定められた閾値以上か否かを判定する（Ｓｇ５）。受信品質が予め定められた閾値より小さい場合には（Ｓｇ５−Ｙ）、移動通信端末２００ｂはマクロセル基地局装置１０３ａとの通信を継続する（Ｓｇ６）。一方、受信品質が予め定められた閾値以上の場合には（Ｓｇ５−Ｎ）、ＣＳＧ基地局装置１０１ｃへのハンドオーバ要求メッセージを送信し、ＣＳＧ基地局装置１０１ｃへハンドオーバする（Ｓｇ７）。
【００６２】
なお、上述の第１、第２および第３の実施形態において、マクロセル基地局装置は個々のＣＳＧ＿ＩＤを通知するのではなく、その地域に割り当てられた共通のＣＳＧ＿ＩＤを通知してもよい。例えば、ある地域でＣＳＧ＿ＩＤが０１２３４５００００〜０１２３４５９９９９までが割り当てられていることが前提で、その地域にあるＣＳＧ＿ＩＤをまとめて、０１２３４５ｘｘｘｘｘ（ｘｘｘｘｘはマスクを示し、任意の値を表す）として報知することでもよい。この場合、端末では、ＣＳＧセルの個々のＣＳＧ＿ＩＤを持つのではなく、系列の共通ＣＳＧ＿ＩＤを保有することになる。共通のＣＳＧ＿ＩＤを持つことでその地域にあるＣＳＧセルに接続することができる。例えば、第３の実施形態では、在圏しているマクロセル以外のＣＳＧ＿ＩＤを通知するため、移動体通信システムでは、通知および保持するＣＳＧ＿ＩＤの数が多くなる場合もある。系列の共通ＣＳＧ＿ＩＤを用いることで、移動体通信システムでは、通知および保持するＣＳＧ＿ＩＤの数が少なくできる。
【００６３】
このように、本実施形態では、マクロセル基地局装置が、移動通信端末に対して、その移動通信端末の属するマクロセル内部のＣＳＧ基地局装置のＣＳＧ＿ＩＤ、およびそのマクロセルの近接するマクロセル内部のＣＳＧ基地局装置のＣＳＧ＿ＩＤを送信する。これにより、移動通信端末は、属するマクロセルに隣接するマクロセル内部のＣＳＧ基地局装置と通信できる。
また、本実施形態では、移動端末装置は、マクロセル基地局装置とＣＳＧセルの両方の受信品質を検出できる場合でも、ＣＳＧセルを優先的に選択する。例えば、マクロセルのアンテナ近くにＣＳＧがある場合は、マクロセルの電波の方が(アンテナの出力差で)強くなってしまうので電波状況だけではＣＳＧセルに接続できないこともある。しかし、ＣＳＧセルと接続した方が、マクロセルに接続する場合と比較して、料金を安くできる場合や帯域を多く利用でき、スループット、マクロセルの負荷低減できる場合等の利点がある。移動端末装置は、ＣＳＧセルを優先的に選択することにより、これらの利点を受けることができる。
【００６４】
なお、上述の第３の実施形態において、マクロセル基地局装置がＣＳＧ＿ＩＤを配信したが、このとき、マクロセル基地局装置はＣＳＧ＿ＩＤを、接続中の移動通信端末だけに個別に配信してもよい。ＣＳＧセルと通信が可能な移動通信端末（ＣＳＧセルと一致したＣＳＧ＿ＩＤを保持している移動通信端末）であれば、移動通信端末は、初期の段階でＣＳＧ基地局装置と接続している。マクロセル基地局装置が接続中の移動通信端末へ個別に配信するので、ＣＳＧセルと接続していない移動通信端末はそのまま接続中のＣＳＧセルと通信できる。
【００６５】
ただし、マクロセル基地局装置はＣＳＧ＿ＩＤを、ＣＳＧ基地局装置と接続中の移動通信端末へ配信する場合でも、次のような効果がある。例えば、移動通信端末が移動した場合、移動した先のＣＳＧセルのＣＳＧ＿ＩＤと、移動通信端末が保持しているＣＳＧ＿ＩＤが違うので、移動通信端末は、マクロセル基地局装置に対してハンドオーバーすることになる。マクロセル基地局装置は、輻輳状態であるのでＣＳＧ＿ＩＤを移動通信端末に配信し、移動通信端末は保持しているＣＳＧ＿ＩＤを更新し、配信されたＣＳＧ＿ＩＤとセルサーチで検出したＣＳＧセルのＣＳＧ＿ＩＤが合致していれば、マクロセル基地局装置から移動した先のＣＳＧ基地局装置にハンドオーバーを行う。上記の場合に、前もって、移動通信端末が移動先のＣＳＧ基地局装置のＣＳＧ＿ＩＤを保持していれば、マクロセル基地局装置へのハンドオーバーは不要で、接続中のＣＳＧ基地局装置から移動先のＣＳＧセル基地局装置に、直接ハンドオーバーできる。
【００６６】
また、上述の第１、第２および第３の実施形態において、マクロセル基地局装置は、ＣＳＧ＿ＩＤを一部の端末に向けて、特化して配信してもよい。例えば、マクロセル基地局装置は、サービスカテゴリ毎に、配信するＣＳＧ＿ＩＤを変えてもよい。サポートしている周波数帯域毎に、配信するＣＳＧ＿ＩＤを変えてもよい。例えば、サポートする周波数帯域が複数ある移動通信端末に向けて、ＣＳＧ＿ＩＤを配信する。サポートしている周波数帯域が予め定めた帯域より少ない移動通信端末では、ＣＳＧセルへ接続が不可能な場合がある。このような移動通信端末は、ＣＳＧ＿ＩＤが配信されても、サポートしていない周波数のために、セルサーチしてもそのＣＳＧ＿ＩＤのＣＳＧ基地局装置の受信品質を検出できない、またはハンドオーバーできないことがある。マクロセル基地局装置は、サポートしている周波数帯域毎に、配信するＣＳＧ＿ＩＤを変えることで、サポートしていない周波数を通信に用いるマクロ基地局装置の受信品質を検出すること、またはハンドオーバ動作を行うことを防止できる。換言すれば、複数の周波数帯域をサポートする移動通信端末に向けてはＣＳＧ＿ＩＤを配信して、移動通信端末がＣＳＧセルを見つけ出し、ハンドオーバーを行うことができる。
【００６７】
また、上述の第１、第２および第３の実施形態において、上位装置４００は、緊急時であることを設定される、あるいは、緊急時であることを検出すると、開放通知を各マクロセル基地局装置に送信するとして説明したが、オペレータがＣＳＧ基地局装置を指定して、全ての移動通信端末と通信可能とするように上位装置４００に指示すると、開放通知を各マクロセル基地局装置に送信するようにしてもよい。また、第３の実施形態において、オペレータがＣＳＧ基地局装置が設置されるマクロセルのセルＩＤとそのマクロセルに近接するマクロセルのセルＩＤを指定して、上位装置４００が指定されたセルＩＤのマクロセル基地局装置に対して、設置されたＣＳＧ基地局装置のＣＳＧ＿ＩＤを送信してもよい。
また、上位装置４００は、自動的に緊急時であることを検出してもよいし、自動的に開放通知を送信してもよい。例えば、上位装置４００は、通信エラーの頻度や通信情報量に基づいて自動で輻輳を検出する機能を持ち、自装置の処理能力を超えると判断した場合に輻輳と判断することで、緊急時を検出する。
また、上述の第３の実施形態において、接続を許容する設定がされたＣＳＧ基地局装置のＣＳＧ＿ＩＤを送信する場合について説明したが、その設定が解除された場合に、設定が解除されたＣＳＧ基地局装置のＣＳＧ＿ＩＤを、そのＣＳＧ基地局装置が設置されているマクロセルに近接するマクロセルに送信してもよい。
【００６８】
また、上述の第１、第２および第３の実施形態において、上位装置４００が、全ての移動通信端末と通信可能とするように設定されていることを示す通知を、ＣＳＧ基地局装置から受けたときに、開放通知を各マクロセル基地局装置に送信するようにしてもよい。また、上述の第１および第２の実施形態において、上位装置４００が、各ＣＳＧ基地局装置の状態を取得し、全ての移動通信端末と通信可能とするように設定されているときは、開放通知を各マクロセル基地局装置に送信するようにしてもよい。また、上述の第１および第２の実施形態において、これらの設定、指示の受けつけ、検出、状態の取得を、上位装置４００ではなく、各々のマクロセル基地局装置が行い、それに応じてＣＳＧ＿ＩＤをセル内同報にて通知するようにしてもよい。また、上述の第１および第２の実施形態において、上位装置４００は、１台のみであったが、複数台であってもよい。
【００６９】
また、上述の第１、第２および第３の実施形態において、マクロセル基地局装置がＣＳＧ＿ＩＤをセル内同報にて配信する期間および頻度は、例えば、全ての移動通信端末の接続を許容するように設定されているＣＳＧ基地局装置がある間、１日１回の配信を行うようにしてもよいし、例えば、緊急時であると設定されている間、１日１回の配信を行う、または、いずれかのＣＳＧ基地局装置が全ての移動通信端末の接続を許容するように設定または解除されてから一定期間、１日１回の配信を行うというように、その他の予め設定された期間および頻度であってもよいし、オペレータが設定した期間および頻度でもよい。
【００７０】
また、上述の第１および第２の実施形態において、第３の実施形態のように、マクロセル基地局装置は、自装置の通信範囲内に位置するＣＳＧ基地局装置が、全ての移動通信端末と通信可能とするように設定されたことを、ＣＳＧ基地局装置のＣＳＧ＿ＩＤをセル内同報を用いて送信することで、移動通信端末に通知するとして説明した、自装置の通信範囲内だけでなく、隣接するマクロセル基地局装置の通信範囲（隣接するセル）に位置するＣＳＧ基地局装置についても、同様に通知するようにしてもよい。このとき、隣接するセルのＣＳＧ基地局装置のＣＳＧ＿ＩＤを、上位装置４００がマクロセル基地局装置に通知するようにしてもよいし、隣接するマクロセル基地局装置が通知するようにしてもよい。さらに、隣接するセルではなく、オペレータによって選択されたセル、あるいは、予め設定されたセルに位置するＣＳＧ基地局装置についても通知するようにしてもよい。
【００７１】
また、上述の第１、第２および第３の実施形態において、移動通信端末は、ＣＳＧリスト記憶部２３１に、報知フラグ「１」と対応付けて記憶したＣＳＧ＿ＩＤを、マクロセル基地局装置から削除指示が来るまで保持するようにしてもよいし、以下に挙げる条件を満たしたら削除するようにしてもよい。移動通信端末が、他のセル、あるいは、そのＣＳＧ基地局装置が設置されていない他のセルに移動したら削除する。マクロセル基地局装置がＣＳＧ＿ＩＤをセル内同報にて通知する際に、ＣＳＧ＿ＩＤとともに、予め設定されたエリア（セル）あるいはオペレータによって設定されたエリアを示す情報を通知し、移動通信端末は、そのエリア外に移動したら、そのＣＳＧ＿ＩＤを削除する。予め設定された有効期限（例えば、日付け）または有効期間（例えば、日数）を経過したら削除する。なお、この有効期間は、ＣＳＧ＿ＩＤをセル内同報にて通知されてからの期間であってもよいし、その他のセルまたはエリア外に移動してからの期間であってもよい。また、報知フラグ「１」と対応付けて記憶したＣＳＧ＿ＩＤだけでなく、報知フラグ「０」と対応付けて記憶したＣＳＧ＿ＩＤについても削除するようにしてもよい。これは、報知フラグ「０」と対応付けて記憶したＣＳＧ＿ＩＤについては、削除しても個別チャネルにて通知されて回復されるからである。
【００７２】
また、上述の第１、第２および第３の実施形態において、移動通信端末は、セル内同報にて送信されたＣＳＧ＿ＩＤを受信したとき、あるいは、ＣＳＧリスト記憶部２３１が記憶するＣＳＧリストを更新したときに、ＣＳＧ＿ＩＤの受信あるいはＣＳＧリストの更新を通知する画像を、ＵＩ部２４のディスプレイに表示するようにしてもよい。通知する画像は、アイコンなどの画像であってもよいし、文字列であってもよい。また、画像ではなく、音による通知であってもよいし、移動通信端末の筺体を振動させることによる通知であってもよい。
【００７３】
また、上述の第１、第２および第３の実施形態において、移動通信端末のＣＳＧリスト記憶部２３１は、移動通信端末が備えるフラッシュメモリなどの記憶媒体であってもよいし、例えば、ＵＳＩＭ（Universal Subscriber Identity Module）カード、ＳＤカードなど、移動通信端末と着脱可能なモジュール内の記憶媒体であってもよい。
【００７４】
また、図８における信号処理部１２、および図１１における信号処理部２２、および図１６における信号処理部１２ａの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７６】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７７】
本発明は、携帯電話装置を端末装置とする移動通信システムに用いることができる。
【符号の説明】
【００７８】
１０…送信部  １１…受信部  １２、１２ａ…信号処理部  １３…記憶部  １４…ネットワーク接続部  １５…アンテナ  ２０…送信部  ２１…受信部  ２２…信号処理部  ２３…記憶部  ２４…ＵＩ部  ２５…アンテナ  １００ａ、１００ｍ…マクロセル基地局装置  １０１ａ、１０１ｎ…ＣＳＧ基地局装置  １２１…ＣＳＧ更新検出部  １２２、１２２ａ…ＣＳＧ管理部  １２３…個別チャネル処理部  １２４…報知チャネル処理部  １３１…ＣＳＧ記憶部  ２０１ａ、２０１ｋ…移動通信端末  ２２１…通信処理部  ２２２…接続基地局決定部  ２２３…ＣＳＧリスト管理部  ２３１…ＣＳＧリスト記憶部  ３００…ネットワーク  ４００…上位装置
【図１】
0005572903.tif 000002
【図２】
0005572903.tif 000003
【図３】
0005572903.tif 000004
【図４】
0005572903.tif 000005
【図５】
0005572903.tif 000006
【図６】
0005572903.tif 000007
【図７】
0005572903.tif 000008
【図８】
0005572903.tif 000009
【図９】
0005572903.tif 000010
【図１０】
0005572903.tif 000011
【図１１】
0005572903.tif 000012
【図１２】
0005572903.tif 000013
【図１３】
0005572903.tif 000014
【図１４】
0005572903.tif 000015
【図１５】
0005572903.tif 000016
【図１６】
0005572903.tif 000017
【図１７】
0005572903.tif 000018
【図１８】
0005572903.tif 000019
【図１９】
0005572903.tif 000020
【図２０】
0005572903.tif 000021
【図２１】
0005572903.tif 000022
【図２２】
0005572903.tif 000023
【図２３】
0005572903.tif 000024